(57)【要約】【課題】  冷房運転を停止した後に室内熱交換器を乾燥させる内部乾燥運転を行うものがある。この内部乾燥運転は、室内熱交換器を加熱しているため、室内機の吹出口より暖気が吹き出され、室内に居る人に不快感を与える問題があった。そこで、室内機に人検知センサを設けて、室内に人が居る場合は内部乾燥運転を行なわないようにするものがある。しかし、室内に人が居る場合、冷房運転後に内部乾燥運転を行えず、室内熱交換器を乾燥させることができ。【解決手段】  そこで、本発明は、冷房サイクル運転の後に内部乾燥運転を行う空気調和機であって、室内機と人検知センサを備え、人検知センサが人を検知した場合と検知しなかった場合で異なる内部乾燥運転を行うことを特徴とする。【選択図】図４
2018112372.tif 000002
【特許請求の範囲】
【請求項１】
冷房サイクル運転の後に内部乾燥運転を行う空気調和機であって、
室内機と人検知センサを備え、人検知センサが人を検知した場合と検知しなかった場合で異なる内部乾燥運転を行うことを特徴とする空気調和機。
【請求項２】
請求項１に記載の空気調和機であって、
冷房サイクル運転を終了した時に人検知センサが人を検知しなかった場合、
室内ファンを所定時間回転させて、
その後、室内熱交換機を凝縮器として機能させて室内ファンを所定の時間回転させ、
冷房サイクル運転を終了した時に人検知センサが人を検知した場合、
室温センサが室内温度を計測し、
室内温度が所定温度よりも低い場合、送風運転で室内ファンを所定の時間回転させ、
室内温度が所定温度以上であった場合、室内熱交換器を蒸発器として機能させて室内ファンを所定の時間回転させて、所定の時間経過後、室内熱交換器の機能を停止させて室内ファンを所定の時間回転させることを特徴とする空気調和機。
【発明の詳細な説明】
【技術分野】
【０００１】
本発明は、冷房サイクル運転後にカビや菌が繁殖することを防止する空気調和機に関するものである。
【背景技術】
【０００２】
空気調和機は冷房サイクル運転（冷房運転や除湿運転）を行うと、室内熱交換器に結露水が付着する。空気調和機の冷房サイクル運転を停止した後、室内熱交換器に結露水が付着したまま放置すると、室内機内の湿度が上昇し、室内熱交換器に付着したカビや菌が繁殖する。カビや菌が繁殖すると、例えば不快な臭気が発生する問題があった。
【０００３】
そこで、この問題を解決するために、冷房サイクル運転を停止した後に室内熱交換器を乾燥させる内部乾燥運転を行うものがある。（特許文献１参照）この内部乾燥運転は、空気調和機の冷凍サイクルを冷房サイクルから暖房サイクルに切り替えて、室内熱交換器に高温の冷媒を流している。この高温の冷媒により、室内熱交換器が加熱され、室内熱交換器に付着した結露水は蒸発する。室内熱交換器が乾燥されるため、カビや菌の繁殖が抑えられ、不快な臭気が発生することを防ぐことができる。
【０００４】
しかし、特許文献１に開示されている方法では、室内熱交換器を加熱しているため、室内機の吹出口より暖気が吹き出され、室内に居る人に不快感を与える問題があった。
【０００５】
そこで、この問題を解決するために、室内機に人検知センサを設けて、室内に人が居る場合は内部乾燥運転を行なわないようにするものがある。（特許文献２参照）
【先行技術文献】
【特許文献】
【０００６】
【特許文献１】特開平１０−６２０００号公報
【特許文献２】特開２００８−２２４１３３号公報
【発明の概要】
【発明が解決しようとする課題】
【０００７】
しかし、特許文献２の方法では、室内に人が居る場合、冷房運転後に内部乾燥運転を行えず、室内熱交換器を乾燥させることができない。
【０００８】
そこで、本発明は、室内に人が居る場合と居ない場合で異なる内部乾燥運転を行なうことで、人が居る居ないにかかわらず室内熱交換器を乾燥させられる空気調和機を提供することを目的とする。
【課題を解決するための手段】
【０００９】
そこで、本発明は、冷房サイクル運転の後に内部乾燥運転を行う空気調和機であって、
室内機と人検知センサを備え、人検知センサが人を検知した場合と検知しなかった場合で異なる内部乾燥運転を行うことを特徴とする。
【００１０】
また、冷房サイクル運転を終了した時に人検知センサが人を検知しなかった場合、室内ファンを所定時間回転させて、その後、室内熱交換機を凝縮器として機能させて室内ファンを所定の時間回転させ、冷房サイクル運転を終了した時に人検知センサが人を検知した場合、室温センサが室内温度を計測し、室内温度が所定温度よりも低い場合、送風運転で室内ファンを所定の時間回転させ、室内温度が所定温度以上であった場合、室内熱交換器を蒸発器として機能させて室内ファンを所定の時間回転させて、所定の時間経過後、室内熱交換器の機能を停止させて室内ファンを所定の時間回転させることを特徴とする。
【発明の効果】
【００１１】
以上のような本発明の空気調和機により、室内に人が居る居ないにかかわらず室内熱交換器を乾燥させられるため、室内熱交換器に付着したカビや菌の繁殖を抑えることができる。さらに、室内に人が居ない場合、室内に人が居る場合よりも室内熱交換器を早く乾燥させることができる。
【図面の簡単な説明】
【００１２】
【図１】本実施形態の空気調和機の室内機を示す概略図である。
【図２】本実施形態の冷媒回路を示した概略図である。
【図３】本実施形態の空気調和機のシステム構成図である。
【図４】本実施形態の内部乾燥運転を示したフローチャートである。
【発明を実施するための形態】
【００１３】
以下に、本発明にかかる空気調和機の実施例を図面に基づいて詳細に説明する。なお、この実施例によりこの発明が限定されるものではない。
【００１４】
図１は、本実施例の空気調和機１０の室内機１００を示す図である。図２は、本実施例の空気調和機の冷媒回路４００を示す図である。図３は、室内機１００のうち一部の概略を示した構成図である。図４は、本実施例の内部乾燥運転を示したフローチャートである。
【００１５】
本実施例の空気調和機１０は、図１、図２に示すように、室内機１００と室外機２００を備える。室内機１００の本体ユニット１１０は天面に空気が吸い込まれる吸込口１１１と、前面下部に空気が吹き出される吹出口１１２が配置される。また、本体ユニット１１０は内部に室内熱交換器１２０と室内ファン１３０と温度センサ１４０と人検知センサ１６０を備える。室内ファン１３０が駆動されることで本体ユニット１１０にある吸込口１１１より吸込まれ室内熱交換器１２０で冷媒と熱交換して調和された調和空気は吹出口１１２より吹き出される。室内ファン１３０は室内ファン制御手段１３３により駆動され風量が調整される。また、図３に示す温度センサ１４０は室内温度を検出する。人検知センサ１６０は、室内に人が居るか否かを検出し、人検出信号を後述する制御部１５０に送信する。室内機１００には、上述した構成要素を含め室内機１００内にある各構成要素を制御する制御部１５０が備えられ、上述の各構成要素間の信号の伝達および制御を行なっている。
【００１６】
室外機２００は、図２に示すように、圧縮機２１０と、四方弁２４０と、室外熱交換器２５０と、膨張弁２８０を備え、それぞれが冷媒配管で接続されている。室外機２００はさらに室外ファン２６０を備える。
【００１７】
空気調和機１０が冷房サイクル運転（冷房運転や除湿運転）を行なっている場合の冷媒回路４００について以下に説明する。なお、冷房サイクル運転を行う際の四方弁２４０は、第１ポート２４０ａと第４ポート２４０ｄが連通し、第２ポート２４０ｂと第３ポート２４０ｃが連通する。圧縮機２１０から吐出された高温高圧の冷媒は四方弁２４０を介して室外熱交換器２５０に流入する。室外熱交換器２５０に流入した冷媒は外気に放熱する。放熱した冷媒は膨張弁２８０に流入し、減圧される。減圧された冷媒は室内熱交換器１２０に流入する。室内熱交換器１２０に流入した冷媒は室内空気より吸熱して室内空気を冷却し、調和空気（冷気）を生成する。吸熱した冷媒は四方弁２４０を介して圧縮機２１０に戻る。この時、調和空気（冷気）は室内ファン１３０により吹出口１１２から吹き出される。
【００１８】
空気調和機１０が暖房サイクル運転を行なっている場合の冷媒回路４００について以下に説明する。なお、暖房サイクル運転を行う際の四方弁２４０は、第１ポート２４０ａと第３ポート２４０ｃが連通し、第２ポート２４０ｂと第４ポート２４０ｄが連通する。圧縮機２１０から吐出された高温高圧の冷媒は四方弁２４０を介して室内熱交換器１２０に流入する。室内熱交換器１２０に流入した冷媒は室内空気に放熱して室内空気を加熱し、調和空気（暖気）を生成する。放熱した冷媒は膨張弁２８０に流入し、減圧される。減圧された冷媒は室外熱交換器２５０に流入する。室外熱交換器２５０に流入した冷媒は外気より吸熱する。吸熱した冷媒は四方弁２４０を介して圧縮機２１０に戻る。この時、調和空気（暖気）は室内ファン１３０により吹出口１１２から吹き出される。
【００１９】
空気調和機１０が送風運転を行なっている場合について以下に説明する。圧縮機２１０が停止しているため、冷媒回路４００を冷媒が循環していない。これにより、室内熱交換器１２０は蒸発器や凝縮器として機能しない。一方、室内ファン１３０は駆動しているため、吸込口１１１より室内空気を吸込み、吹出口１１２より室内空気を吹き出している。
【００２０】
次に、ユーザーが冷房運転を停止した後の内部乾燥運転について、図４のフローチャートを基に説明する。
【００２１】
本実施例の空気調和機１０が冷房運転している時に、ユーザーがリモコン３００を操作して冷房運転の停止を選択することで、リモコン３００が室内機１００に冷房運転を停止させる信号を送信する。室内機１００の内部にある制御部１５０が、冷房運転の停止を示す信号を受信する（Ｓ１０１）。そして、制御部１５０は、人検知センサ１６０が人を検知しているか否かを示す人検出信号を取得する。制御部１５０は、取得した人検出信号を基に室内に人が居るか否かを判定する（Ｓ１０２）。室内に人が居ないと判定した場合（Ｓ１０２−Ｎｏ）、制御部１５０は、室内機１００を送風運転モードに切り替えて、送風運転を所定時間（例えば３０分間）行う（Ｓ１１４）。この時、室内ファン１３０は室内機１１０内にある送風路を室温にまで早く暖めるために所定の高回転数（例えば、室内ファン１３０の最大回転数）で回転し、室内機の内部にある室内熱交換器１２０および図示しない送風路が室温まで暖められた後、吹出口１１２より室内空気が吹き出される。これにより、冷房運転によって冷たくなった風向板１７０が室温にまで暖められる。これは、送風運転の後に暖房運転を行うため、暖房運転で吹出口１１２より吹き出される暖気が、冷房運転で冷たくなった風向板１７０に冷却されて、風向板１７０に結露水が付着しないようにするためである。送風運転を開始してから予め実験等で定めた室内機１１０が室温にまで暖められるのに掛かる第１の所定時間（例えば、３０分間）経過した後、制御部１５０は室内機１００を暖房運転モードに切り替えて、暖房運転を室内機１１０が乾燥するのに掛かる第２の所定時間（例えば、２５分間）行い、暖気で室内機１１０の内部にある室内熱交換器１２０を乾燥させる（Ｓ１１５）。暖房運転を開始してから第２の所定時間経過した後、制御部１５０は暖房運転の動作を停止させて、本実施形態の内部乾燥運転を終了させる（ＥＮＤ）。この動作により、室内に人が居る場合よりも室内熱交換器１２０を早く乾燥させることができる。
【００２２】
Ｓ１０２において、制御部１５０が室内に人が居ると判定した場合（Ｓ１０２−Ｙｅｓ）、制御部１５０は温度センサ１４０より温度センサ１４０が検出した室内温度を取得する（Ｓ１０３）。制御部１５０は、取得した室内温度が所定温度（例えば、冷房運転時の設定温度）以下か否かを判定する（Ｓ１０４）。室内温度が所定温度以下であった場合（Ｓ１０４−Ｙｅｓ）、制御部１５０は、室内機１００を送風運転モードに切り替えて、送風運転を行う（Ｓ１０５）。この時、室内ファン１３０は所定の低回転数（例えば、室内ファン１３０の最小回転数）で回転し、吹出口１１２より室内空気が吹き出される。そして、制御部１５０は人検知センサ１６０より人検出信号を取得して、取得した人検出信号を基に室内に人が居るか否かを判定する（Ｓ１０６）。室内に人が居なくなったと判定した場合（Ｓ１０６−Ｎｏ）、Ｓ１１４に移行する（Ｓ１０８）。室内に人が居ると判定した場合（Ｓ１０６−Ｙｅｓ）、制御部１５０は送風運転を開始してから予め実験等で定めた送風運転で室内熱交換器１２０が乾燥するのに掛かる第３の所定時間（例えば、９０分）経過したか否かを判定する（Ｓ１０７）。第３の所定時間経過していた場合（Ｓ１０７−Ｙｅｓ）、制御部１５０は送風運転の動作を停止させて、本実施形態の内部乾燥運転を終了させる（ＥＮＤ）。第３の所定時間経過していない場合（Ｓ１０７−Ｎｏ）、Ｓ１０６に移行する。この動作により、室内に人が居る場合でも、高温多湿の空気を吹き出さないため、人に不快感を与えることなく室内熱交換器１２０を乾燥させることができる。
【００２３】
Ｓ１０４において、室内温度が所定温度（例えば、冷房運転時の設定温度）より高い場合（Ｓ１０４−Ｎｏ）、制御部１５０は、弱冷房運転を行う（Ｓ１０９）。この弱冷房運転では、室内ファン１３０は所定の低回転数（例えば、室内ファン１３０の最小回転数）で回転し、風向板１７０は水平方向に向けられることで、吹出口１１２より吹き出される調和空気（冷気）は室内の天井付近に向けて水平に吹き出される。そして、制御部１５０は人検知センサ１６０より人検出信号を取得して、取得した人検出信号を基に室内に人が居るか否かを判定する（Ｓ１１０）。室内に人が居ないと判定した場合（Ｓ１１０−Ｎｏ）、Ｓ１１４に移行する（Ｓ１１３）。室内に人が居ると判定した場合（Ｓ１１０−Ｙｅｓ）、制御部１５０は冷房運転を開始して予め実験等で定めた室内の温度が冷房運転時の設定温度よりも下がらない第４の所定時間（例えば、４５分）経過したか否かを判定する（Ｓ１１１）。第４の所定時間経過していた場合（Ｓ１１１−Ｙｅｓ）、Ｓ１０５に移行する。第４の所定時間経過していない場合（Ｓ１１１−Ｎｏ）、Ｓ１１０に移行する。これにより、室内熱交換器１２０を冷却することで、カビの繁殖を抑えて、臭気の発生を防ぐことができる。また、高温多湿の空気を吹き出さないため、室内に居る人に不快感を与えない。
【００２４】
以上より、本発明の空気調和機１０では、室内に人が居る場合は送風運転または冷房運転を行うことで、室内に高温多湿の空気を吹き出さないため、室内に居る人に不快感を与えることなく室内機のカビの繁殖を抑制して悪臭が発生することを防いでいる。一方、室内に人が居ない場合、暖房運転を行ない、室内機内を暖気で早く乾燥させてカビの繁殖を防いでいる。なお、本実施形態では、冷房運転を終了した後に内部乾燥運転を行なっているが、本発明はこれに限定したものではなく、除湿運転を終了した後に行ってもよい。
【符号の説明】
【００２５】
１０    空気調和機
１００  室内機
１５０  制御部
２００  室外機
３００  リモコン
４００  冷媒回路
【図１】
2018112372.tif 000003
【図２】
2018112372.tif 000004
【図３】
2018112372.tif 000005
【図４】
2018112372.tif 000006